(57)【要約】      （修正有）【課題】  高圧空気搬送による穀粒の損傷、商品価値の低下。【解決手段】  可撓性吸引ホース５の始端部に吸引ノズルを終端に吸引ホース５内を吸引する吸引装置を中間部には穀粒分離排出装置８を設ける。穀粒分離排出装置８は、中間排気口を有する本体ケース２４と、穀粒の分離網体２７と、分離網体２７内の穀粒を強制搬送する送りロール３５と、送りロール３５により搬送された所定量の穀粒が通過する排出室４６と、中間排気口より所定間隔置いて設けられ排出室４６内の穀粒を排出する穀粒排出口７と、穀粒排出口７を自動開閉する自動開閉機構５０とを有する。自動開閉機構５０は、穀粒排出口７を開閉する回動自在の逆止弁５１を有する。【選択図】    図３
2006298602.tif 000002
【特許請求の範囲】
【請求項１】
可撓性を有する吸引ホース５の始端部に搬送対象物１の穀粒を吸引する吸引ノズル６を設け、前記吸引ホース５の終端に、吸引ホース５内を吸引する吸引装置９を設け、前記吸引ホース５の中間部には、中間排気口２９を有する本体ケース２４と、該本体ケース２４内に設けた該吸引ホース５内の吸引風は吹き抜け搬送された穀粒は付着する軸心が横方向の分離網体２７と、該分離網体２７内の穀粒を搬送翼３７により強制搬送する送りロール３５と、該送りロール３５により搬送された所定量の穀粒が通過する排出室４６と、前記中間排気口２９より所定間隔置いて設けられ前記排出室４６内の穀粒を排出する穀粒排出口７と、該穀粒排出口７を自動開閉する自動開閉機構５０とを有する穀粒分離排出装置８を設け、該自動開閉機構５０は、前記穀粒排出口７を開閉する逆止弁５１を、取付軸５２により回動自在に設けて構成した穀粒搬送装置。
【請求項２】
請求項１において、前記中間排気口２９と前記穀粒排出口７とは、前記吸引ホース５が穀粒を吸引搬送中に穀粒排出口７を開口させて穀粒排出可能な所定間隔Ｔをおいて配置し、前記逆止弁５１は、排出室４６内の穀粒の重量により回動して前記穀粒排出口７から穀粒を排出するように構成した穀粒搬送装置。
【請求項３】
請求項１または請求項２において、前記逆止弁５１は、前記吸引装置９の吸引が停止しているとき、その先端５１Ａが自重で前記穀粒排出口７に対して所定の隙間５５を有して位置するように構成した穀粒搬送装置。
【請求項４】
請求項３において、前記逆止弁５１の基部には、前記穀粒排出口７に対する隙間５５を調節しうる重り５３を設けた穀粒搬送装置。
【請求項５】
請求項３または請求項４において、前記逆止弁５１は、前記吸引装置９の吸引開始直後から穀粒排出前では、前記吸引装置９の吸引により穀粒排出口７を閉塞しうる位置であって、且つ、前記吸引装置９の吸引が停止したときには排出室４６内の残留穀粒が排出しうるように、前記穀粒排出口７に対して所定の隙間５５を有して位置するように構成した穀粒搬送装置。
【請求項６】
請求項３または請求項４において、前記逆止弁５１の前記穀粒排出口７に対する隙間５５は、前記吸引装置９により吸引すると、穀粒排出口７を閉塞し、且つ、前記吸引装置９の吸引が停止したときには排出室４６内の残留穀粒が排出しうるように構成した穀粒搬送装置。
【発明の詳細な説明】
【技術分野】
【０００１】
本発明は、空気により穀粒を搬送するホースを利用した穀粒搬送装置に係るものである。
【背景技術】
【０００２】
従来、穀粒の空気搬送は、ホースの始端部に送風機を設け、送風機による高圧の圧風中にフィーダ（繰り込み装置）により粉粒体を定量送り込んで行っていた。
したがって、フィーダが無い山積みの穀粒を空気搬送するには、一々フィーダに供給しなければならず、非常に面倒であった。
また、この点を、解決したものとして、従来、搬送ホースの始端に搬送対象物を吸引する吸引ノズルを設け、搬送ホースの中間部には該搬送ホース内を吸引する吸引装置を設けて、ホースの一端から搬送物を吸引し、この吸引した搬送物を吸引装置の排気を利用して搬送する構成は、公知である（特許文献１）。
【特許文献１】特公昭４５−１７２９号公報
【発明の開示】
【発明が解決しようとする課題】
【０００３】
前記公知例は、搬送ホースの中間部に吸引装置を設け、一方から吸引した搬送対象物を他方に搬送するため、必ず、吸引装置の排気側の圧縮高温・高圧の搬送風により搬送されるという課題がある。
即ち、公知例では、搬送ホースの中間に排出口を設けると、排出口からの空気の出または入りによりホース内の吸引または送風圧力が低下するから、搬送できないのである。
そして、公知例のように、吸引装置の排気ホースを通して穀粒を搬送すると、圧縮された高温・高圧の搬送風により搬送された穀粒は、搬送中に過剰に乾燥して、亀裂や胴割れ等の損傷し、商品価値が著しく低下するという課題がある。
また、排気ホースを通して穀粒を搬送すると、吸引ホースの終端の穀粒排出口には、穀粒と搬送風（空気）とを分離するサイクロンを設けなくてはならないという課題がある。
サイクロンは、穀粒と搬送風（空気）とを分離する際に、穀粒がサイクロンの内壁に衝突し、そして摺接しながら排出されるので、穀粒の損傷が激しい。また、サイクロンは、それ自体所定の容積が必要であり、穀粒搬送装置全体が大型化する。
本願は、吸引風のみで穀粒を搬送することで、サイクロンを不要にできるように、特段の工夫をしたものであり、また、搬送作業の操作性および作業性を向上するようにして、作業効率を向上させたものである。
【課題を解決するための手段】
【０００４】
本発明は、可撓性を有する吸引ホース５の始端部に搬送対象物１の穀粒を吸引する吸引ノズル６を設け、前記吸引ホース５の終端に、吸引ホース５内を吸引する吸引装置９を設け、前記吸引ホース５の中間部には、中間排気口２９を有する本体ケース２４と、該本体ケース２４内に設けた該吸引ホース５内の吸引風は吹き抜け搬送された穀粒は付着する軸心が横方向の分離網体２７と、該分離網体２７内の穀粒を搬送翼３７により強制搬送する送りロール３５と、該送りロール３５により搬送された所定量の穀粒が通過する排出室４６と、前記中間排気口２９より所定間隔置いて設けられ前記排出室４６内の穀粒を排出する穀粒排出口７と、該穀粒排出口７を自動開閉する自動開閉機構５０とを有する穀粒分離排出装置８を設け、該自動開閉機構５０は、前記穀粒排出口７を開閉する逆止弁５１を、取付軸５２により回動自在に設けて構成した穀粒搬送装置としたものである。
本発明は、前記中間排気口２９と前記穀粒排出口７とは、前記吸引ホース５が穀粒を吸引搬送中に穀粒排出口７を開口させて穀粒排出可能な所定間隔Ｔをおいて配置し、前記逆止弁５１は、排出室４６内の穀粒の重量により回動して前記穀粒排出口７から穀粒を排出するように構成した穀粒搬送装置としたものである。
本発明は、前記逆止弁５１は、前記吸引装置９の吸引が停止しているとき、その先端５１Ａが自重で前記穀粒排出口７に対して所定の隙間５５を有して位置するように構成した穀粒搬送装置としたものである。
本発明は、前記逆止弁５１の基部には、前記穀粒排出口７に対する隙間５５を調節しうる重り５３を設けた穀粒搬送装置としたものである。
本発明は、前記逆止弁５１は、前記吸引装置９の吸引開始直後から穀粒排出前では、前記吸引装置９の吸引により穀粒排出口７を閉塞しうる位置であって、且つ、前記吸引装置９の吸引が停止したときには排出室４６内の残留穀粒が排出しうるように、前記穀粒排出口７に対して所定の隙間５５を有して位置するように構成した穀粒搬送装置としたものである。
本発明は、前記逆止弁５１の前記穀粒排出口７に対する隙間５５は、前記吸引装置９により吸引すると、穀粒排出口７を閉塞し、且つ、前記吸引装置９の吸引が停止したときには排出室４６内の残留穀粒が排出しうるように構成した穀粒搬送装置としたものである。
【発明の効果】
【０００５】
請求項１の発明では、逆止弁５１を回動自在に設けているので、穀粒搬送前は穀粒排出口７から吸引することにより逆止弁５１を回動させて穀粒排出口７を閉塞して吸引ホース５内を負圧にでき、穀粒搬送中は搬送された穀粒により逆止弁５１を押して回動させて穀粒を排出でき、操作性および作業性を向上させる。
請求項２の発明では、中間排気口２９と穀粒排出口７とを所定間隔Ｔをおいて配置しているので、穀粒の吸引搬送中に穀粒排出口７を開口させて穀粒排出可能にでき、穀粒搬送終了したとき、穀粒の重量で逆止弁５１が回動するので、残留穀粒を確実に排出できる。
請求項３の発明では、吸引装置９の吸引が停止したとき（穀粒搬送終了後）、逆止弁５１の先端５１Ａが自重で穀粒排出口７に対して所定の隙間５５を有するので、残留穀粒を確実に排出できる。
請求項４の発明では、逆止弁５１の先端５１Ａの先端位置の微調節でき、を一層、残留穀粒の排出を確実にし、また、穀粒搬送前の穀粒排出口７を閉塞させるための逆止弁５１を、確実にできる。
請求項５および請求項６の発明では、逆止弁５１により穀粒排出口７の自動開閉でき、また、搬送作業に合わせて、単に、吸引装置９を入り切りさせるだけで、吸引ホース５内の減圧および残留穀粒の排出の両方を行え、操作性および作業性を向上させる。
【実施例１】
【０００６】
本発明の一実施例を図面により説明すると、１は、飼料、そば、大豆、あずき、米麦等の搬送対象物であり、実施例ではタンク２に一時貯留されているが、山積み状態でもよい。３は搬送対象物１を搬送先タンク４に搬送する穀粒搬送装置である。
穀粒搬送装置３は、可撓性を有する吸引ホース５の先端に吸引ノズル６を設け、前記吸引ホース５の中間部には、穀粒排出口７を有する穀粒分離排出装置８を設け、吸引ホース５の終端に吸引ホース５内を吸引する吸引装置９を設けて構成する。
【０００７】
即ち、穀粒搬送装置３は、吸引ノズル６から穀粒分離排出装置８までの間を吸引搬送ホース１０により接続し、穀粒分離排出装置８から吸引装置９までを吸引排気ホース１１により接続し、前記吸引搬送ホース１０の吸引搬送風路１２内を流れる吸引風により搬送対象物１の穀粒を搬送し、吸引ホース５の中間部分の穀粒分離排出装置８で穀粒と吸引風とを分離させて搬送先タンク４の張り込み口１３に排出する。
つまり、吸引装置９が圧縮した空気を排気する際に生じる負圧を利用して、吸引ホース５内に搬送用の吸引風を発生させて、搬送対象物１の穀粒を穀粒分離排出装置８に搬送し、穀粒分離排出装置８で搬送風から分離した穀粒を搬送先タンク４に排出する。
１４は、吸引排気ホース１１内に形成される吸引排気風路である。
【０００８】
前記吸引装置９は公知のものであり、ファン（図示省略）を回転させて、吸引装置９の一方側から吸引して他方に排気するように構成し、吸引排気ホース１１の終端は吸引装置９の吸引ドラム１８に接続する。２１は吸引ホース５内の吸引を停止させるために、吸引装置９に設けた開口部２０を開閉させる吸引開閉シャッターである。
しかして、穀粒分離排出装置８は、本体ケース２４の一端側に搬送流入口２５を開口させ、該搬送流入口２５には前記吸引搬送ホース１０の軸心方向と略一致させた接続筒部２６を設ける。該接続筒部２６の先端（外端）には前記吸引搬送ホース１０の終端を接続する。接続筒部２６の基部（内端）には、接続筒部２６と同一軸心方向の所定長さを有する筒形状の分離網体２７を取付ける。
【０００９】
分離網体２７は、穀粒が通り抜けないように、搬送穀粒の粒径より小なる目合いに形成する。
分離網体２７の周囲と本体ケース２４の内面との間には、吸引室２８を形成する。即ち、分離網体２７の外周全体が吸引室２８内に面して吸引される。
吸引室２８の外周の本体ケース２４には中間排気口２９を設け、該中間排気口２９には前記吸引排気風路１４を形成する前記吸引排気ホース１１の先端を接続する。中間排気口２９は吸引室２８の軸心方向に対して交差方向に設ける。
したがって、分離される吸引風は搬送方向に対して交差方向に排気され、搬送された穀粒は側方から吸引される。
【００１０】
分離網体２７内には、吸引搬送ホース１０により搬送されて吸引室２８内の分離網体２７の内周に吸着された穀粒を、分離網体２７の奥側に送る送りロール３５を設ける。送りロール３５はロール軸３６の外周に螺旋状に搬送翼３７を設けて形成する。ロール軸３６の一端は自由端３８とし、自由端３８は本体ケース２４の搬送流入口２５に臨ませる。ロール軸３６の他端は本体ケース２４の軸受部３９の軸受４０に回転自在に軸装し、軸受部３９より外側に突出するロール軸３６の端部には入力プーリ４１を固定する。
４２は送りロール３５を回転させるモータである。４３は送りロール３５の自由端側に設けた案内体であり、側面視、流線型形状に形成し、穀粒の搬送抵抗を減少させている。
【００１１】
前記軸受４０はロール軸３６の軸方向に複数箇所支持するように軸受部３９に設け、ロール軸３６が片持状態でも円滑に回転するように構成し、ロール軸３６は軸受部３９ごと本体ケース２４から抜き差ししうるように着脱自在に取付けている。
また、送りロール３５は、前記ロール軸３６に着脱自在に嵌合させて取付け、送りロール３５は、搬送翼３７の周縁と分離網体２７の内周との間に穀粒が噛み込まれない範囲で可及的に小なる隙間４５を有して、吸引室２８より奥側の本体ケース２４に形成した排出室４６内に穀粒を搬送しうるように構成する。
しかして、排出室４６の下面側には排出室４６内の穀粒を排出する前記穀粒排出口７を形成する。穀粒排出口７は前記中間排気口２９に対して所定間隔Ｔをおいて配置する。所定間隔Ｔは、前記吸引ホース５が穀粒を吸引搬送中に穀粒排出口７を開口させても、該穀粒排出口７から本体ケース２４内に外気が逆流しないように、設定するとよい。
【００１２】
即ち、前記中間排気口２９と前記穀粒排出口７とを所定間隔Ｔだけ離すことで、排出室４６内を通過する穀粒が「栓」のように、穀粒排出口７から本体ケース２４内への外気の逆流に対して抵抗となって、吸引搬送中の吸引ホース５の中間部の穀粒排出口７を開口させて行う穀粒排出作業を可能にする。
つまり、単に、本体ケース２４に穀粒排出口７を設けても、吸引装置９は、吸引ホース５の吸引ノズル６と同様に、穀粒排出口７からも吸引してしまうが、中間排気口２９と前記穀粒排出口７とを所定間隔Ｔだけ離して排出室４６を形成しているので、吸引搬送中の吸引ホース５の中間部の穀粒排出口７を開口させて行う穀粒排出作業を可能になるのである。
【００１３】
換言すると、排出室４６は、前記穀粒排出口７を開口させても、該穀粒排出口７から本体ケース２４内に外気を吸引しないように、排出室４６を通過する穀粒が所定量となる容積を有するように構成する。
しかして、前記穀粒排出口７には、穀粒排出口７を開閉させる自動開閉機構５０を設ける。自動開閉機構５０は、穀粒排出開始直後の穀粒が排出室４６まで搬送されないうちは穀粒排出口７を閉塞して本体ケース２４内が負圧となるようにし、穀粒が排出室４６まで搬送されると、自動的に穀粒排出口７を開口させて穀粒の排出を開始し、吸引装置９の吸引を停止または終了させたときには、残留穀粒を全て排出するように構成する。
即ち、吸引装置９が吸引ホース５内を吸引するとき、吸引ホース５の吸引ノズル６および穀粒排出口７から外気を吸引するので、このとき、自動開閉機構５０により穀粒排出口７を閉塞して吸引ホース５内全体を負圧にし、これにより、吸引ノズル６から吸引装置９までの吸引ホース５内は穀粒を搬送しうる負圧の吸引風が流れ、穀粒を排出室４６まで搬送し、排出室４６に穀粒が所定量溜ると、自動開閉機構５０により自動的に穀粒排出口７から穀粒を排出する。
【００１４】
自動開閉機構５０は、穀粒排出口７を開閉するシャッタをモータあるいはシリンダ等のアクチュエータにより作動させてもよいが、実施例では排出室４６の下面の穀粒排出口７に逆止弁５１を設けて構成している。
逆止弁５１は先端５１Ａを自由端に形成し、逆止弁５１の基部は穀粒排出口７の端部に位置させて、本体ケース２４に取付軸５２により回動自在に取付ける。逆止弁５１は、排出室４６内の穀粒の重量により自動回動して前記穀粒排出口７から穀粒を排出するように構成する。
即ち、逆止弁５１は、後述するが、吸引装置９により吸引されると、穀粒排出口７を閉塞するが、吸引装置９が作動していないときには、逆止弁５１自体の重量バランスや取付軸５２の取付位置を、排出室４６内に所定量穀粒が搬送されると自動的に回動し、穀粒排出口７を開口させるようにする。
【００１５】
つまり、逆止弁５１は、その先端５１Ａが自重で前記穀粒排出口７に対して所定の隙間５５を有して位置するように構成する。
したがって、搬送作業が終了して、吸引装置９を停止させると、逆止弁５１は、穀粒排出口７を開口させて本体ケース２４内の全ての残留穀粒を排出する。
しかして、逆止弁５１の穀粒排出口７に対する隙間５５は、前記吸引装置９の吸引が停止したときには排出室４６内の残留穀粒が排出しうる大きさであり、且つ、前記吸引装置９により吸引すると、穀粒排出口７を閉塞する位置に位置するように構成する。
吸引装置９が吸引ホース５内を吸引するとき、吸引ホース５の吸引ノズル６および穀粒排出口７から外気を吸引するので、この穀粒排出口７から吸引する吸引風で、逆止弁５１が穀粒排出口７を一旦閉塞するようにしている。
【００１６】
また、逆止弁５１の基部には、逆止弁５１が常時穀粒排出口７より下方に隙間５５を有するように調節する重り５３を設ける。
５６は吸引排気ホース１１を接続する吸引装置９の接続筒部、５７は吸引装置９の排気口、５８は吸引装置９のモータである。
しかして、前記自動開閉機構５０は、前記吸引装置９を吸引作動状態のときに、穀粒排出口７を開口させて穀粒を排出するが、吸引装置９が吸引停止状態でも穀粒排出口７を開口させて前記送りロール３５により穀粒を排出し、本体ケース２４内の全ての残留穀粒を排出する。
即ち、吸引ノズル６による搬送対象物１の吸引が終了してから、吸引装置９に設けた吸引開閉シャッター２１を開口させることにより吸引停止状態にし、この状態で送りロール３５により穀粒を搬送して穀粒排出口７から排出するので、本体ケース２４内の全ての残留穀粒を排出する。
【００１７】
しかして、前記搬送先タンク４は複数並設し、各搬送先タンク４の張り込み口１３の上方には前記穀粒分離排出装置８を夫々設ける。各穀粒分離排出装置８は接続ホース６０を介して吸引ホース５と接続し、吸引ホース５と接続ホース６０との各接続部分には搬送切替弁６１を設ける。
各搬送切替弁６１は遠隔操作可能に構成し、搬送切替弁６１は、所定の搬送先タンク４へ至る吸引風路１２と排気風路１４の夫々を接続ホース６０に切替えて連通させ、他の搬送先タンク４へ至る搬送切替弁６１は閉塞させて、穀粒を所定の搬送先タンク４へ搬送する。
そして、所定の搬送先タンク４への搬送が終了すると、この搬送先タンク４への各搬送切替弁６１を閉塞させて、次の搬送先タンク４に至る他の搬送切替弁６１を切替えて搬送し、これを反復して、各搬送先タンク４への搬送を行う。
前記搬送切替弁６１の構成は任意であるが、実施例ではエアシリンダ６２により弁体６３を切替えるように構成している。
【００１８】
（実施例の作用）
吸引装置９を駆動させると、吸引装置９は吸引ホース５内の空気を吸引し、吸引ホース５の吸引ノズル６を搬送対象物１の穀粒群に差し込むと、搬送対象物１の穀粒は吸引風により吸引ノズル６から吸引搬送ホース１０内に流入し、吸引搬送ホース１０内を搬送される。
吸引ノズル６と吸引装置９とを接続する吸引ホース５の中間部には、穀粒排出口７を有する穀粒分離排出装置８を設けているから、穀粒分離排出装置８にて穀粒と吸引風とは分離され、分離された穀粒は穀粒排出口７から排出されて、搬送先タンク４に供給される。
【００１９】
この場合、吸引ホース５の終端に吸引装置９を設けているから、吸引ホース５の中間部の穀粒分離排出装置８までは、吸引ノズル６から吸引された外気により穀粒を搬送するので、搬送中の穀粒に悪影響を与えない。
つまり、穀粒は圧縮された高温・高圧の搬送風により搬送されると、搬送中に過剰に乾燥して、亀裂や胴割れ等の損傷が生じるが、本願では吸引した外気により搬送するので乾燥穀粒の発生を防止する。
【００２０】
しかして、穀粒分離排出装置８は、吸引ホース５の軸心方向と略一致する本体ケース２４の一端の接続筒部２６に吸引ホース５の中間部（吸引搬送ホース１０の終端）を接続し、接続筒部２６には本体ケース２４内に設けた分離網体２７を接続し、分離網体２７の周囲と本体ケース２４の内面との間に吸引室２８を形成しているから、吸引搬送ホース１０により吸引室２８まで吸引搬送された穀粒の一部は分離網体２７の内周に付着し、分離網体２７から吸引室２８に入った吸引風はそのまま中間排気口２９から吸引排気ホース１１の吸引排気風路１４を通って吸引装置９に吸引され、吸引装置９の排風口（図示省略）から排気される。
【００２１】
分離網体２７の内周に付着して空気と分離された穀粒は分離網体２７内に設けた送りロール３５により排出室４６に搬送される。
したがって、分離網体２７まで搬送された穀粒は送りロール３５により排出室４６に移送されることで、後続の搬送された穀粒が分離網体２７内で空気と分離され、これが反復されて吸引ノズル６から穀粒分離排出装置８まで搬送される間に穀粒は、一度も高温の搬送風に晒されることなく、排出室４６に至り、後述する穀粒排出口７より排出される。
【００２２】
この場合、筒形状の分離網体２７の周囲に吸引室２８が形成されているから、吸引室２８内の分離網体２７の全外周面から吸引風が抜け、効率よく、空気と穀粒の分離が行える。
この吸引搬送風（空気）と穀粒との分離は、吸引搬送ホース１０から分離網体２７に至った吸引風が分離網体２７で略直角に曲がって搬送方向に対して交差方向に抜けるので、直進するように搬送された穀粒は側方から吸引されて分離網体２７の内周に付着する。そのため、穀粒は分離網体２７に衝突するのではなく、分離網体２７に付着して、吸引風と分離される。
したがって、穀粒分離排出装置８には、搬送風と穀粒とを回転させて分離するサイクロンを設ける必要がなく、穀粒分離排出装置８を小型にでき、しかも、穀粒の損傷もサイクロンに比し、減少させられる。
【００２３】
即ち、サイクロンは、円筒に高圧の搬送風ごと穀粒を吹き込んで回転させ、この穀粒を回転させるエネルギーを、穀粒をサイクロンの内壁に摺接させることで消耗させて、穀粒と送風とを分離する構成のため、上下に長く装置全体が大型化し（送風圧力（搬送力）に比例して大型化する）、また、穀粒はサイクロンの内壁に摺接しながら排出落下するので破砕穀粒を含めて、損傷が激しいが、本願は、分離網体２７に付着させた穀粒を送りロール３５により搬送するので、損傷が極めて少ない。
【００２４】
なお、穀粒と搬送風との分離は、分離網体２７内まで穀粒が搬送されて充満し、搬送穀粒の一部は分離網体２７の内周面に付着するが、その余の搬送穀粒は穀粒の間の隙間から中間排気口２９に向けて吸引風が抜けて分離され、分離網体２７内に搬送された穀粒の全てが分離網体２７に付着してから排出室４６に搬送されるのではないのは、勿論である。
したがって、この点でも、穀粒分離排出装置８まで吸引搬送された穀粒は、穀粒分離排出装置８の本体ケース２４内の壁に正面から衝突するのではなく、穀粒群に当たるので、衝撃は分散され、穀粒の損傷は少ない。
【００２５】
この場合、送りロール３５の前記搬送流入口２５側は自由端としているから、軸受機構を設けていない分、本体ケース２４の搬送流入口２５の開口面積を大きくでき、搬送穀粒の流入抵抗を減少させ、搬送穀粒の損傷を防止する。
しかして、中間排気口２９と穀粒排出口７との間には、所定間隔Ｔを設け、排出室４６内を常時所定量の穀粒が通過するように構成しているから、排出室４６の存在により吸引ホース５の中間に設けた穀粒分離排出装置８に穀粒排出口７を形成しても、吸引ホース５内は常時一定の負圧状態にして吸引風を流すことができる。
即ち、分離網体２７内に吸引搬送されて穀粒が排出室４６を常時所定量通過するので、吸引搬送中に穀粒排出口７を開口させて穀粒を排出しても、排出室４６内を通過する穀粒が「栓」のように抵抗となって、吸引室２８（穀粒分離排出装置８）内の負圧を保持し、分離網体２７から吸引室２８を介して吸引排気風路１４を通して吸引装置９へ吸引風を排気し、穀粒排出口７から吸引風が入るのを防止する。
【００２６】
換言すると、分離網体２７から吸引室２８を介して吸引排気風路１４へ吸引風が抜けるからこそ、穀粒排出口７まで搬送された穀粒は、自重で穀粒排出口７から自然落下して排出される。
なお、排出室４６の始端側は吸引室２８に接しているが、送りロール３５により穀粒は排出室４６の終端まで搬送され、排出室４６の終端から穀粒排出口７までは後続の搬送穀粒により押されることもあって、確実に排出される。
また、吸引排気ホース１１の先端は吸引室２８の軸心方向に対して交差方向に接続しているので、分離される吸引風は搬送方向に対して交差方向に排気されるから、排出室４６内には、一層、吸引風の逆流はせず、本体ケース２４内の負圧が保持されつつ、穀粒排出口７からの穀粒の排出は良好に行われる。
【００２７】
そして、穀粒排出口７に自動開閉機構５０が設けられているから、排出作業開始時でも、吸引室２８内を負圧にでき、吸引ホース５の吸引ノズル６から穀粒を吸引することが可能となる。
このように、穀粒分離排出装置８に、排出室４６と自動開閉機構５０を設けることにより、吸引ホース５の中間部に穀粒排出口７を設けることができ、ひいては、吸引ホース５の内の吸引搬送ホース１０内を通る吸引風のみで穀粒を吸引ノズル６から穀粒排出口７まで搬送可能となり、穀粒の損傷防止とサイクロン不要とを両立させて、合理的構成となる。
【００２８】
しかして、穀粒分離排出装置８の穀粒排出口７には自動開閉機構５０が設けられているから、自動開閉機構５０は、吸引装置９を駆動させると、穀粒排出口７を閉塞して本体ケース２４内を負圧にし、吸引ノズル６から外気を吸引して穀粒を搬送する。
次に、吸引ノズル６から吸引された穀粒が分離網体２７まで搬送されて、この穀粒が送りロール３５により排出室４６に送られると、自動開閉機構５０は自動的に穀粒排出口７を開口させて穀粒の排出を開始する。次に、吸引装置９の吸引が停止すると、自動開閉機構５０は排出室４６内の穀粒を送りロール３５により搬送して穀粒排出口７から全て排出させるようにする。
【００２９】
したがって、排出室４６内を所定量の穀粒を通過させて、「栓」のように抵抗となっているので、自動開閉機構５０により穀粒排出口７を開口させて行う排出作業が可能となり、自動開閉機構５０によって穀粒排出口７の開閉が自動化されるので、操作性および作業性を向上させる。
この場合、実施例の自動開閉機構５０は、排出室４６の下面の穀粒排出口７に先端５１Ａが自由端の逆止弁５１を回動自在に取付けて構成しているから、作業開始時は、穀粒排出口７を通る吸引風により逆止弁５１が閉塞方向回動して穀粒排出口７を一旦閉塞後に搬送が開始され、排出室４６内に所定量の穀粒が溜ると、穀粒に押されて逆止弁５１が自動回動して穀粒排出口７から穀粒を排出する。
【００３０】
しかして、逆止弁５１は、吸引装置９により吸引されると、穀粒排出口７を閉塞するように位置させているから、確実に搬送作業を開始する。
したがって、逆止弁５１は、前記吸引装置９の吸引が停止しているとき、その先端５１Ａが自重で前記穀粒排出口７に対して所定の隙間５５を有して位置するように構成しているから、逆止弁５１の先端５１Ａを所定の隙間５５を有して穀粒排出口７の下方に位置させるだけで、自動閉塞する。
しかして、逆止弁５１自体の重量バランスを、吸引装置９が停止しているとき、穀粒排出口７を開口するように構成しているから、穀粒の搬送量が多くなると、逆止弁５１は穀粒排出口７の開口方向に略全開状態まで回動して排出抵抗を軽減して排出時の詰まりを防止すると共に、排出効率を向上させる。
【００３１】
そして、穀粒の搬送量が少なくなると、逆止弁５１は穀粒排出口７の閉塞方向に回動して、穀粒排出口７から吸引風が入るのを抑制すると共に、搬送量に応じた穀粒排出口７の開口面積に自動調節する。
次に、搬送作業が終了して、吸引装置９を停止させると、逆止弁５１は、穀粒排出口７を開口させて本体ケース２４内の全ての残留穀粒を排出する。
したがって、穀粒排出口７に逆止弁５１を設けた構成でありながら、直接逆止弁５１を操作しなくても、吸引装置９を入り切りさせるだけで、逆止弁５１は穀粒排出口７を開閉させることになり、特に操作機構を設ける必要がなく、合理的な構成となる。
【００３２】
この場合、逆止弁５１は、前記吸引装置９の吸引が停止しているとき、その先端５１Ａが自重で前記穀粒排出口７に対して所定の隙間５５を有して位置するように構成しているから、作業開始時の穀粒排出口７の閉塞と、残留穀粒の排出のための穀粒排出口７の開口とを両立させることができる。
しかして、逆止弁５１の基部には逆止弁５１が常時所定の隙間５５を有するように付勢する重り５３を設けているから、重り５３を移動させることにより、逆止弁５１の先端５１Ａを微調節でき、自動閉塞および自動開口を確実にする。
しかして、搬送先タンク４は複数並設し、各搬送先タンク４の張り込み口１３の上方に穀粒分離排出装置８を夫々設け、各穀粒分離排出装置８と吸引ホース５とは夫々接続ホース６０を介して接続し、吸引ホース５と接続ホース６０との各接続部分には搬送切替弁６１を設けているから、搬送切替弁６１を遠隔操作して吸引ホース５と所定の搬送先タンク４へ至る吸引風路１２および排気風路１４とを連通させ、他の搬送切替弁６１を閉塞させると、吸引ノズル６から吸引した穀粒を所定の搬送先タンク４へ搬送できる。
【００３３】
所定の搬送先タンク４への搬送が終了すると、この所定の搬送先タンク４への各搬送切替弁６１を閉塞させて、次の搬送先タンク４への他の搬送切替弁６１を切替えて次の搬送先タンク４への吸引風路１２と排気風路１４を吸引ホース５と連通させて搬送し、これを反復して、各搬送先タンク４への搬送を行う。
この場合、所定の搬送先タンク４への搬送が終了して、次の搬送先タンク４に搬送するために、搬送切替弁６１を切替えるときに、駆動中の吸引装置９を停止させずに、該吸引装置９に設けた吸引開閉シャッター２１を開口させて吸引停止状態にし、前記自動開閉機構５０により前記穀粒排出口７の開口状態を保持して、前記送りロール３５により前記分離網体２７および前記排出室４６内の穀粒を排出するから、穀粒分離排出装置８内の残留穀粒は全て排出され、次の搬送先タンク４への搬送は、品種の相違する穀粒を搬送しても、異種穀粒の混入が防止でき、しかも、吸引装置９に設けた吸引開閉シャッター２１を閉塞するだけで、すぐに搬送作業を再開でき、作業効率を著しく向上させられる。
【図面の簡単な説明】
【００３４】
【図１】穀粒搬送装置の一例の概略配置図。
【図２】吸引装置の側面図。
【図３】穀粒分離排出装置の縦断側面図。
【図４】穀粒排出口の断面図。
【図５】穀粒分離排出装置の正面図。
【図６】同平面図。
【図７】送りロールの側面図。
【図８】送りロールの正面図。
【図９】タンクと穀粒搬送装置の配置の一例を示す平面図。
【図１０】タンクと穀粒搬送装置の配置の一例を示す平面図。
【符号の説明】
【００３５】
１…搬送対象物（粉粒体）、２…タンク、３…穀粒搬送装置、４…搬送先タンク、５…吸引ホース、６…吸引ノズル、７…穀粒排出口、８…穀粒分離排出装置、９…吸引装置、１０…吸引搬送ホース、１１…吸引排気ホース、１２…吸引搬送風路、１３…張り込み口、１４…吸引排気風路、１８…吸引ドラム、２０…開口部、２１…吸引開閉シャッター、２４…本体ケース、２５…搬送流入口、２６…接続筒部、２７…分離網体、２８…吸引室、２９…排気接続部、３５…送りロール、３６…ロール軸、３７…搬送翼、３８…自由端、３９…軸受部、４０…軸受、４１…入力プーリ、４５…隙間、４６…滞留室、５０…自動開閉機構、５１…逆止弁、５２…取付軸、５３…重り、６０…接続ホース、６１…搬送切替弁、６２…エアシリンダ、６３…弁。
【図１】
2006298602.tif 000003
【図２】
2006298602.tif 000004
【図３】
2006298602.tif 000005
【図４】
2006298602.tif 000006
【図５】
2006298602.tif 000007
【図６】
2006298602.tif 000008
【図７】
2006298602.tif 000009
【図８】
2006298602.tif 000010
【図９】
2006298602.tif 000011
【図１０】
2006298602.tif 000012